(57)【要約】 【課題】個別の読み取り手段により原稿の両面を同時に読み取る画像読み取り装置の一方の読み取り手段に故障が発生した場合であっても、利用者に煩雑な作業を強いることなく、原稿の両面読み取りを継続することを可能にする。【解決手段】搬送路に沿って搬送される原稿の表面の画像を読み取る第１の読み取り手段と、その原稿の裏面の画像を読み取る第２の読み取り手段と、を備えた画像読み取り装置に、原稿の表面および裏面を第１および第２の読み取り手段により読み取らせるとともに、その読み取り結果から第１および第２の読み取り手段の何れかに異常が発生したか否かを検知させる。そして、何れか一方の読み取り手段の異常が検知された場合には、原稿の表裏を反転させて再度搬送路へ送り出し、異常が検知された読み取り手段に対応する面の画像を他方の読み取り手段によって読み取らせる。【選択図】図３
2007143014.tif 000002
【特許請求の範囲】
【請求項１】
搬送路に沿って搬送される原稿の表面の画像を読み取る第１の読み取り手段と、
前記原稿の裏面の画像を読み取る第２の読み取り手段と、
前記第１の読み取り手段および前記第２の読み取り手段の下流に配置され、原稿の裏表を反転させて前記搬送路へ送り出す反転手段と、
前記第１の読み取り手段と前記第２の読み取り手段との何れか一方に読み取り異常または故障が検知された場合に、前記反転手段により表裏を反転して原稿を前記搬送路へ送り出し、前記読み取り異常または故障が検知された読み取り手段に対応する面の画像を前記他方の読み取り手段によって読み取るように制御する制御手段と
を有することを特徴とする画像読み取り装置。
【請求項２】
前記制御手段は、
所定の画像についての前記第１および第２の読み取り手段の読み取り結果を解析することによって、読み取り異常または故障を検知する
ことを特徴とする請求項１に記載の画像読み取り装置。
【請求項３】
前記制御手段は、
前記第１の読み取り手段について読み取り異常または故障が検知された場合には、前記反転手段によって原稿の表裏を反転させ、表面の画像を前記第２の読み取り手段に読み取らせた後に、再度、前記反転手段によって原稿の表裏を反転させ、その裏面の画像を前記第２の読み取り手段に読み取らせるように制御する
ことを特徴とする請求項１に記載の画像読み取り装置。
【請求項４】
前記第１または第２の読み取り手段により読み取られた画像を表す画像データを記憶する記憶手段を備え、
前記制御手段は、
前記記憶手段から原稿の表面に対応する画像データを読み出して出力した後に該原稿の裏面に対応する画像データを読み出して出力する
ことを特徴とする請求項１または２に記載の画像読み取り装置。
【請求項５】
搬送路に沿って搬送される原稿の表面の画像を読み取る第１の読み取り手段と、前記原稿の裏面の画像を読み取る第２の読み取り手段と、を備えた画像読み取り装置に前記原稿の表面および裏面を読み取らせる画像読み取り方法において、
前記第１の読み取り手段と第２の読み取り手段の何れか一方に読み取り異常または故障が発生したことを検知する第１のステップと、
前記反転手段により表裏を反転させて前記搬送路へ原稿を送り出す第２のステップと、
前記第２のステップにて前記搬送路へ送り出された原稿について、前記第１のステップにて読み取り異常または故障が検知された読み取り手段に対応する面の画像を他方の読み取り手段によって読み取る第３のステップと
を実行させることを特徴とする画像読み取り方法。
【発明の詳細な説明】
【技術分野】
【０００１】
本発明は、原稿の画像を電気信号に変換して読み取る技術に関し、特に、その両面の画像を読み取る技術に関する。
【背景技術】
【０００２】
例えば、デジタル複写機やスキャナ装置などの画像読み取り装置のなかには、ＡＤＦ（Auto Document Feeder）などの自動給紙機構により給紙された原稿の表面および裏面を夫々個別の読み取り手段によって同時に読み取ることが可能なものがある。この種の画像読み取り装置においては、何れか一方の読み取り手段に故障が発生すると装置自体の稼動が禁止されてしまい、故障が直るまで装置を利用できなくなってしまうといった問題点があった。このような問題点を解消するための技術としては、特許文献１や特許文献２に開示された技術が挙げられる。これら特許文献には、原稿の両面を夫々個別の読み取り手段で同時に読み取る画像読み取り装置において、一方の読み取り手段が故障したとしても、他方の読み取り手段によって原稿の読み取りを行う技術が開示されている。
【特許文献１】特開２００４−２３６７２号公報
【特許文献２】特開２００４−３４３４０９号公報
【発明の開示】
【発明が解決しようとする課題】
【０００３】
しかしながら、特許文献１や２に開示された技術では、一度の原稿搬送のみで両面同時読み取りを行う構成であるので、例えば表面を読み取る第１の読み取り手段が故障した場合には、原稿の裏面を読み取るための第２の読み取り手段にて原稿の裏面のみを読み取り、全ての原稿について裏面の読み取りが完了した後に、原稿束の表裏をひっくり返してＡＤＦにセットして表面の読み取りを行わせる必要があり、画像読み取り装置のユーザが煩雑な作業を行わねばならないといった問題点があった。また、両面原稿を読み取る際には、原稿束の表面読み取りの後に裏面を読み取るので一旦メモリに蓄積した後、出力順序を表、裏と並べ換える必要があり、並べ替えの処理とメモリの容量も原稿枚数分必要になるといった問題点もあった。
本発明は、上記課題に鑑みて為されたものであり、個別の読み取り手段により原稿の両面を同時に読み取る画像読み取り装置において、一方の読み取り手段に故障が発生した場合であっても、利用者に煩雑な作業を強いることなく、原稿の両面読み取りを行うことを可能にする技術を提供することを目的としている。
【課題を解決するための手段】
【０００４】
上記課題を解決するために、本発明は、搬送路に沿って搬送される原稿の表面の画像を読み取る第１の読み取り手段と、前記原稿の裏面の画像を読み取る第２の読み取り手段と、前記第１の読み取り手段および前記第２の読み取り手段の下流に配置され、原稿の裏表を反転させて前記搬送路へ送り出す反転手段と、前記第１の読み取り手段と前記第２の読み取り手段との何れか一方に読み取り異常または故障が検知された場合に、前記反転手段により表裏を反転して原稿を前記搬送路へ送り出し、前記読み取り異常または故障が検知された読み取り手段に対応する面の画像を前記他方の読み取り手段によって読み取るように制御する制御手段とを有することを特徴とする画像読み取り装置、を提供する。
このような画像読み取り装置によれば、第１の読み取り手段と第２の読み取り手段の何れか一方に読み取り異常または故障が発生した場合には、表裏を反転して原稿が搬送路に送り出され、読み取り異常または故障が発生した読み取り手段に対応する面の画像が他方の読み取り手段によって読み取られる。
【０００５】
より好ましい態様においては、前記制御手段は、所定の画像についての前記第１および第２の読み取り手段の読み取り結果を解析することによって、読み取り異常または故障を検知することを特徴としている。例えば、上記所定の画像として原稿画像を用いるようにすれば原稿画像の読み取り過程で、第１および第２の読み取り手段についての読み取り異常または故障を検出することが可能になる。また、上記所定の画像として白基準板の画像を用いるようにすれば、原稿の読み取りに先立って、第１および第２の読み取り手段についての読み取り異常または故障を検出することが可能になる。
【０００６】
また、別の好ましい態様においては、前記制御手段は、前記第１の読み取り手段について読み取り異常または故障が検知された場合には、前記反転手段によって原稿の表裏を反転させ、表面の画像を前記第２の読み取り手段に読み取らせた後に、再度、前記反転手段によって原稿の表裏を反転させ、その裏面の画像を前記第２の読み取り手段に読み取らせるように制御することを特徴としている。このような態様によれば、排紙された原稿の表裏をユーザが手作業で反転させる必要がなくなるといった効果を奏する。
【０００７】
また、別の好ましい態様においては、前記第１または第２の読み取り手段により読み取られた画像を表す画像データを記憶する記憶手段を備え、前記制御手段は、前記記憶手段から原稿の表面に対応する画像データを読み出して出力した後に該原稿の裏面に対応する画像データを読み出して出力することを特徴としている。このような態様によれば、画像読み取り装置から出力される画像データをユーザが手作業で並べ換える必要がなくなるといった効果を奏する。なお、このような態様においては、原稿の表面および裏面の読み取り順と、各々の面に対応する画像データの出力順とが異なっているため、原稿が上記搬送路上を複数回周回することになり、スキューが増加してしまうが、最初に読み取り可能な裏面を読み込んでおくことによって、スキューの増加による影響を最小限に抑えることも可能である。
【０００８】
また、上記課題を解決するために本発明は、搬送路に沿って搬送される原稿の表面の画像を読み取る第１の読み取り手段と、前記原稿の裏面の画像を読み取る第２の読み取り手段と、を備えた画像読み取り装置に前記原稿の表面および裏面を読み取らせる画像読み取り方法において、前記第１の読み取り手段と第２の読み取り手段の何れか一方に読み取り異常または故障が発生したことを検知する第１のステップと、前記反転手段により表裏を反転させて前記搬送路へ原稿を送り出す第２のステップと、前記第２のステップにて前記搬送路へ送り出された原稿について、前記第１のステップにて読み取り異常または故障が検知された読み取り手段に対応する面の画像を他方の読み取り手段によって読み取る第３のステップとを実行させることを特徴とする画像読み取り方法、を提供する。このような画像読み取り装置によれば、第１の読み取り手段と第２の読み取り手段の何れか一方に異常が発生した場合には、表裏を反転して原稿が搬送路に送り出され、障害が発生した読み取り手段に対応する面の画像が他方の読み取り手段によって読み取られる。
【０００９】
また、本発明の別の態様にあっては、搬送路に沿って搬送される原稿の表面の画像を読み取る第１の読み取り手段と、前記原稿の裏面の画像を読み取る第２の読み取り手段と、前記第１の読み取り手段および前記第２の読み取り手段の下流に配置され、原稿の裏表を反転させて前記搬送路へ送り出す反転手段とを備えた画像読み取り装置に、本発明に係る画像読み取り方法を実行させるプログラムを提供するとしても良く、また、コンピュータ装置読み取り可能な記録媒体に係るプログラムを書き込んで提供するとしても良い。
このような態様によれば、原稿の表面を読み取る第１の読み取り手段とその原稿の裏面を読み取る第２の読み取り手段と原稿の表裏を反転させる反転手段とを備えた画像読み取り装置に、本発明に係る画像読み取り装置と同一の機能を付与することが可能になる。
【発明の効果】
【００１０】
本発明によれば、個別の読み取り手段により原稿の両面を同時に読み取る画像読み取り装置において、一方の読み取り手段に故障が発生した場合であっても、利用者に煩雑な作業を強いることなく、原稿の両面読み取りを行うことが可能になる、といった効果を奏する。
【発明を実施するための最良の形態】
【００１１】
以下、図面の参照しつつ本発明の実施形態について説明する。
（Ａ：構成）
図１は、この発明の一実施形態である画像読み取り装置の構成を示すブロック図である。
図１において、第１の読み取り部１Ａと第２の読み取り部１Ｂとは、例えばＣＣＤラインセンサで構成されており、図示しない搬送装置によって搬送される原稿の画像を読み取る手段である。なお、図１では、第１および第２の読み取り部の夫々が１つのＣＣＤラインセンサで構成されている場合について例示されているが、例えば、Ｒ、ＧおよびＢの各色に対応した３つのＣＣＤラインセンサで上記第１および第２の読み取り部を構成するようにしても勿論良い。
【００１２】
図２は、搬送装置によって搬送される原稿の搬送経路（以下、搬送路）およびその搬送路上の読み取り位置から第１の読み取り部１Ａに至るまでの光学系の構成を示す図である。図２において、表面を上に向けた状態で原稿トレイに載置された原稿３０は、引き込みローラ３１によって引き込まれ、表面がコンタクトガラス３３に対向するように搬送ローラ３２によって搬送方向を変えられつつ一定の搬送速度で１枚ずつ搬送される。このようにして搬送される原稿３０は、切り替えローラ３４によって、図２にて（ｃ）で示される位置、または、排紙ローラ３５へ運ばれる。なお、図２にて（ｃ）で示す位置へ運ばれた原稿は、反転ローラ３６によって、反転パスに沿って搬送され、原稿の表裏が反転された状態で再度、上記搬送路に沿って搬送される。このように、切り替えローラ３４と反転ローラ３６とは表裏を反転させて原稿を上記搬送路へ送り出す反転手段として機能するものである。
【００１３】
図１の第１の読み取り部１Ａは、図２に示すように上記搬送装置によって搬送される原稿の表面の画像を、例えば一般的なランプを光源として所定の読み取り位置（図２に示す（ａ）の位置）で読み取るためのものである。図２の（ａ）の位置における原稿の画像は、第１ミラー４０、第２ミラー４１、第３ミラー４２により光路を変え、レンズ４３により縮小され、第１の読み取り手段１Ａを構成するＣＣＤラインセンサに至る。一方、図１の第２の読み取り手段１Ｂは、上記原稿の裏面の画像をＬＥＤを光源として上記読み取り位置で読み取るために、図２に示す（ｂ）の位置に配置されている。第１および第２の読み取り部を構成する各ＣＣＤラインセンサは、上記読み取り位置において、原稿搬送方向を横切る方向（主走査方向）に一直線上に並んだＮ個の画素の画素値を表す画像信号を出力する。なお、本実施形態では、第１の読み取り部１Ａの光源がランプであり、第２の読み取り部１Ｂの光源がＬＥＤである場合について説明するが、第１の読み取り部１ＡについてもＬＥＤを光源として用いるようにしても勿論良い。このように第１および第２の読み取り部の両者についてＬＥＤを光源として用いるようにすることによって、一方の光源としてランプを用いた場合に比較して省電力化および省スペース化が可能になることが期待される。
【００１４】
さて、本実施形態に係る画像読み取り装置においては、第１の読み取り部１Ａおよび第２の読み取り部１Ｂから出力された画像信号は、図１に示すように画像処理回路２によってデジタルデータである画像データに変換された後に各種画像処理が施され、例えば、画像形成装置などの後段処理装置へ出力される。図１に示すように、画像処理回路２は、Ａ／Ｄ変換器２１Ａおよび２１Ｂと、ＡＳＩＣ２２Ａおよび２２Ｂと、画像メモリ２３Ａおよび２３Ｂと、切り替え回路２４と、ＣＰＵ２５と、ＦＲＯＭ２６およびＲＡＭ２７を有している。なお、図１においては、詳細な図示は省略したが、ＡＳＩＣ２２Ａおよび２２Ｂと、画像メモリ２３Ａおよび２３Ｂは、データ線を介してＣＰＵ２５に接続されており、このデータ線を介してデータや信号の授受が可能なように構成されている。
【００１５】
図１のＡ／Ｄ変換器２１Ａは、第１の読み取り部１Ａから出力される画像信号にデジタル変換を施し、ＡＳＩＣ２２へ供給するものであり、図１のＡ／Ｄ変換器２１Ｂは、第２の読み取り部１Ｂから出力される画像信号にデジタル変換を施し、ＡＳＩＣ２２Ｂへ供給するものである。なお、必要に応じてアナログ補正などの各種補正を施した後にデジタル変換を施すようにしても良いことは勿論である。
【００１６】
図１のＡＳＩＣ２２Ａと２２Ｂは、例えば画像処理チップであり、供給された画像データにシェーディング補正やライン補完、鏡像変換や回転処理などの各種画像処理を施して画像メモリへ出力する。より詳細に説明すると、ＡＳＩＣ２２Ａや２２Ｂは、Ａ／Ｄ変換器から引渡された画像データに施す画像処理の内容を示すパラメータや画像データを解析した結果を保持するためのレジスタを有しており、このレジスタを利用して上記各種画像処理を実行し、その処理結果を対応する画像メモリへと出力する。具体的には、ＡＳＩＣ２２Ａは、上記各種画像処理を施した画像データを画像メモリ２３Ａへ出力し、ＡＳＩＣ２２Ｂは、上記各種画像処理を施した画像データを画像メモリ２３Ｂへ出力する。
ところで、上記レジスタに格納される画像データの解析結果の一例としては、その画像データにおける画素値の出現頻度の分布が挙げられる。このように画素値の出現頻度の分布を求めることによって、その画像データが、白黒画像データであるのか、それとも、カラー画像データであるのかを判別し、画像データの種別に応じた画像処理を実行することが可能になる。なお、上記画像データの解析結果は、その画像データに対して施すべき画像処理を決定する際に利用されるのであるが、本実施形態においては、第１の読み取り部１Ａまたは第２の読み取り部１Ｂに読み取り異常が発生したか否かを判定する際にも利用される。この点については、後に詳細に説明する。
図１の画像メモリ２３Ａは、ＡＳＩＣ２２Ａから出力される画像データを保持するためのものであり、図１の画像メモリ２３Ｂは、ＡＳＩＣ２２Ｂから出力される画像データを保持するためのものである。つまり、画像メモリ２３Ａと２３Ｂとは、第１および第２の読み取り部により読み取られた画像を表す画像データを記憶するための記憶手段として機能する。なお、本実施形態では、第１の読み取り部１Ａにより読み取られた画像を表す画像データを記憶するための画像メモリと、第２の読み取り部１Ｂにより読み取られた画像を表す画像データを記憶するための画像メモリとを夫々個別に設ける場合について説明するが、１つの画像メモリ内の記憶領域を２つに分割して利用するようにしても勿論良い。
【００１７】
図１の切り替え回路２４は、ＣＰＵ２５の制御下で画像メモリ２３Ａに保持されている画像データと、画像メモリ２３Ｂに保持されている画像データをの何れか一方を出力するものである。
【００１８】
そして、図１のＣＰＵ２５は、ＦＲＯＭ２６に書き込まれている制御プログラムをＲＡＭ２７をワークエリアとして実行し、切り替え回路２４の作動制御を行うとともに、ＡＳＩＣ２２Ａや２２Ｂ内のレジスタに格納されている解析結果を前述したデータ線（図示省略）を介して参照し、第１の読み取り部１Ａや第２の読み取り部１Ｂに読み取り異常が発生したか否かを判定する。より詳細に説明すると、ＣＰＵ２５は、ＡＳＩＣ２２Ａや２２Ｂ内の各レジスタに格納されている解析結果を参照し、所定の画素値を有する画素（例えば、白画素）をの出現頻度（すなわち、全画素に対する上記所定の画素値を有する画素の割合）が所定の値以下である場合に、読み取り異常が発生したと判定する。
そして、ＣＰＵ２５は、第１または第２の読み取り手段の何れかに異常が発生したと判定した場合には、前述した切り替えローラ３４や反転ローラ３６を適宜作動させて原稿の表裏を反転させ、読み取り異常を検知した読み取り手段に対応する面の画像を他方の読み取り手段によって読み取らせるように制御するものである。なお、本実施形態では、ＡＳＩＣ２２Ａまたは２２Ｂ内のレジスタの格納内容を参照することによって、第１の読み取り部１Ａや第２の読み取り部１Ｂに読み取り異常が発生したか否かをＣＰＵ２５に判定させる場合について説明したが、画像メモリ２３Ａや画像メモリ２３Ｂの格納内容に基づいて読み取り異常の発生の有無をＣＰＵ２５に判定させるようにしても勿論良い。具体的には、画像メモリ２３Ａや２３Ｂに格納されている画像データを解析し、所定の画素値を有する画素（例えば、白画素）の出現頻度が所定の値以下である場合に、読み取り異常が発生したと判定させるようにすれば良い。
以上が、本実施形態に係る画像読み取り装置の構成である。
【００１９】
（Ｂ：動作）
次いで、図３を参照しつつ本実施形態に係る画像読み取り装置が行う画像読み取り動作の流れを説明する。
図３は、本実施形態に係る画像読み取り装置が行う画像読み取り処理の流れを示すフローチャートである。原稿トレイにセットされ、操作パネル（図示省略）に設けられたスタートボタンを押下するなどの読み取り開始指示がユーザによって為されると、前述した搬送装置によって原稿が１枚ずつ引き込まれ、図２に示す搬送路に沿って搬送される（ステップＳＡ１００）。
【００２０】
このようにして搬送される原稿は、前述した読み取り位置にて、第１の読み取り部１Ａによってその表面の画像が読み取られるとともに、第２の読み取り部１Ｂによってその裏面の画像が読み取られる（ステップＳＡ１１０）。第１の読み取り部１Ａおよび第２の読み取り部１Ｂは、夫々読み取った画像に対応する画像信号を出力し、これら画像信号は、各々Ａ／Ｄ変換器２１Ａまたは２１Ｂによって画像データへと変換され、さらに、各々ＡＳＩＣ２２Ａまたは２２Ｂによって所定の画像処理が施された後に、画像メモリ２３Ａおよび２３Ｂへと書き込まれる。
【００２１】
ステップＳＡ１１０に後続して実行されるステップＳＡ１２０においては、ＣＰＵ２５は、前述したようにＡＳＩＣ２２Ａや２２Ｂ内のレジスタに格納されている画像処理結果を参照し、第１の読み取り部１Ａおよび第２の読み取り部１Ｂの少なくとも一方に読み取り異常が発生したか否かを判定する。なお、本実施形態では、ＡＳＩＣ２２Ａまたは２２Ｂ内のレジスタに格納されている解析結果をＣＰＵ２５に参照させて、第１の読み取り部１Ａおよび第２の読み取り部１Ｂの少なくとも一方に読み取り異常が発生したか否かをＣＰＵ２５に判定させる場合について説明した。しかしながら、ＡＳＩＣ２２Ａや２２Ｂに、各々のレジスタの格納内容に基づいて、読み取り異常を検出させ、読み取り異常が検出された場合に、所定の異常検出信号をＣＰＵ２５へ送信することによって、読み取り異常の発生をＣＰＵ２５へ通知させるようにしても勿論良い。
また、ステップＳＡ１２０の判定は、原稿が前述した（ｃ）の位置に達するまでに完了することが望ましいが、（ｃ）の位置に達した時点で判定が完了していない場合には、原稿の搬送を一時停止し（ｃ）の位置に原稿を待機させるようにすれば良い。なお、原稿が上記（ｃ）の位置に達したことを検出するには、上記（ｃ）の位置にセンサを設けておけば良い。また、原稿の搬送速度は一定であるから、原稿の先端が読み取り位置を通過した時点からの経過時間が、その読み取り位置から上記（ｃ）の位置までの搬送路の長さを搬送速度で除算して得られる値に達した時に原稿が上記（ｃ）の位置に達したと判定させるようにしても良い。
【００２２】
ステップＳＡ１２０の判定結果が“Ｎｏ”である場合（すなわち、第１の読み取り部１Ａと第２の読み取り部１Ｂの何れについても異常なしと判定された場合、または、第１の読み取り部１Ａと第２の読み取り部１Ｂの両者とも異常であると判定された場合）には、ＣＰＵ２５は、切り替えローラ３４および排紙ローラ３５を適宜制御して原稿を排紙トレイへ排紙し（ステップＳＡ１６０）、本画像読み取り動作を終了する。なお、第１の読み取り部１Ａと第２の読み取り部１Ｂの両者について読み取り異常が検知された場合には、その旨を示すメッセージを表示部（図示省略）へ表示させたり、そのメッセージに応じた音声を放音させたりすることによって、画像読み取りを継続することができない旨をユーザへ報知するようにしても勿論良い。
【００２３】
逆に、ステップＳＡ１２０の判定結果が“Ｙｅｓ”である場合（すなわち、第１の読み取り部１Ａと第２の読み取り部１Ｂの何れか一方について読み取り異常を検知した場合）には、ＣＰＵ２５は、反転ローラ３６を適宜駆動させて原稿の表裏を反転させ（ステップＳＡ１３０）、上記搬送路へ送り出し、その搬送過程で、その原稿の両面の画像を第１の読み取り部１Ａおよび第２の読み取り部１Ｂに再度読み取らせる（ステップＳＡ１４０）。なお、ステップＳＡ１２０の判定結果が“Ｙｅｓ”である場合には、その旨をメッセージ出力などによりユーザへ報知するようにしても良く、また、異常と判定された画素の位置や、その画素値を報知し、装置のハードウェア的な故障であるのか、それとも、読み取り位置やＣＣＤラインセンサにゴミが付着したことに起因した異常なのかをユーザが判定できるようにしてメンテナンス性の向上を図ることも可能である。
【００２４】
ここで、注目すべき点は、ステップＳＡ１４０の原稿読み取り処理では、ステップＳＡ１３０にて原稿の表裏が反転されているため、第１の読み取り部１Ａによって原稿の裏面の画像が読み取られ、第２の読み取り部１Ｂによって原稿の表面の画像が読み取られる点である。このため、例えば、第１の読み取り部１Ａに読み取り異常が検知された場合であっても、第２の読み取り部１Ｂが正常であれば、その第２の読み取り部１Ｂによって原稿の裏面および表面の画像が順次読み取られることになる。なお、ステップＳＡ１４０の読み取り処理の際には、ステップＳＡ１１０の読み取り処理の際とは読み取り開始位置が変わってしまうため、読み取った画像に対して鏡像変換１８０度の回転を施す。また、ステップＳＡ１４０の原稿読み取り処理では、原稿のテールエッジから読み取られるが、ステップＳＡ１１０の原稿読み取りにより原稿サイズが分かっているため、これを用いて正しいサイズで読み取りを行うことができる。
【００２５】
ステップＳＡ１４０の原稿読み取り処理が完了すると、ＣＰＵ２５は、当初搬送方向に原稿を搬送するように搬送装置を制御する一方、切り替えローラ３４および反転ローラ３６を再度作動させて原稿の表裏を反転させ（ステップＳＡ１５０）、原稿を排紙トレイへ排紙し（ステップＳＡ１６０）、本画像読み取り動作を終了する。なお、ステップＳＡ１５０にて原稿の表裏を再度反転させるのは、排紙トレイへ排紙される原稿の向きを整えるためであるが、排紙される原稿の向きを問わない場合には、ステップＳＡ１５０の処理を実行しないようにしても良いことは勿論である。
以上に説明したように第１の読み取り部１Ａに異常が発生した場合には、第２の読み取り部１Ｂによって原稿の裏面および表面が読み取られ、裏面に対応する画像データと表面に対応する画像データとがこの順に画像メモリ２３Ｂに書き込まれることになるが、この画像メモリ２３Ｂから画像データを読み出す際（例えば、後段の画像処理回路から画像データの出力を指示された場合や後段の画像処理回路にて画像処理の実行が可能になったことを検出した場合）に、表面に対応する画像データを先に出力するように切り替え回路２４をＣＰＵ２５に制御させるようにすれば良く、また、画像データの出力順を問わない場合には、係る制御を行わなくても良いことは勿論である。
なお、以上に説明した動作例では、原稿の表面の画像を読み取る第１の読み取り部１Ａに読み取り異常が発生した場合について説明したが、原稿の裏面の画像を読み取り第２の読み取り部１Ｂに読み取り異常が発生した場合には、前述した反転手段（すなわち、切り替えローラ３４と反転ローラ３６）を用いて原稿の表裏を反転させ、第１の読み取り部１Ａを用いて原稿の裏面の画像を読み取らせるようにすれば良い。
【００２６】
以上に説明したように、本実施形態に係る画像読み取り装置によれば、原稿の表面を読み取るための第１の読み取り部１Ａまたは原稿の裏面を読み取るための第２の読み取り部１Ｂの何れか一方について読み取り異常を検知した場合であっても、原稿束を裏返しにしてセットするなどの特段の作業をユーザに行わせることなく、原稿の両面読み取りを行うことが可能になる、といった効果を奏する。
【００２７】
（Ｃ：変形）
以上、本発明の一実施形態について説明したが、係る実施形態に以下に述べるような変形を加えても良いことは勿論である。
（１）上述した実施形態では、画像読み取りの対象である原稿についての第１および第２の読み取り部の読み取り結果を解析することによって、それら第１および第２の読み取り部についての読み取り異常を検知する場合について説明したが、所定の画像についての読み取り結果を解析して読み取り異常を検知する態様であれば、どのような画像を用いても良い。その一例としては、白基準板についての第１および第２の読み取り部の読み取り結果を解析することによって、それら第１および第２の読み取り部についての読み取り異常を検知することが挙げられる。具体的には、白基準板についての読み取り結果である画像データの画素値が所定の値を下回った場合には読み取り異常であると判定するようにすれば良い。このようにすると、原稿画像の読み取りに先立って白基準板を用いた白変動補正を行う際に、第１および第２の読み取り手段についての読み取り異常を検出することが可能になる。
【００２８】
（２）上述した実施形態では、第１または第２の読み取り部の何れか一方について読み取り異常が検知された場合には、反転手段と他方の読み取り手段とを用いて原稿の両面の読み取りを行う場合について説明したが、第１および第２の読み取り部の何れか一方について故障（すなわち、ハードウェア的な障害）が検知された場合にも、反転手段と他方の読み取り手段とを用いて原稿の両面の読み取りを行うようにしても良いことは勿論である。また、原稿画像の読み取りに先立って、第１の読み取り部１Ａについて読み取り異常や故障が検知された場合には、反転手段によって原稿の表裏を反転させ、その表面の画像を第２の読み取り部１Ｂに読み取らせた後に、再度、反転手段によって、原稿の表裏を反転させ、その裏面の画像を第２の読み取り部１Ｂに読み取らせるように制御しても勿論良い。
【００２９】
（３）上述した実施形態では、第１または第２の読み取り部の何れか一方に読み取り異常が発生した場合には、反転手段によって原稿の表裏を反転させて搬送路へ送り出し、読み取り異常が検出された読み取り手段に対応する面の画像を他方の読み取り手段に読み取らせる場合について説明した。しかしながら、例えば、高画質での画像読み取りを行う旨のモード設定が為された場合には、読み取り異常が発生していなくとも、反転手段を用いた原稿の反転搬送を行わせるようにしても良い。このようにすると、原稿の表面および裏面の画像が第１および第２の読み取り部の各々によって読み取られることになるので、画像の出力時に、第１の読み取り部１Ａによって読み取られた表面（裏面）の画像と、第２の読み取り部１Ｂによって読み取られた表面（裏面）の画像とを比較し、読み取った画像の情報(例えば色毎の濃度値、白面積値)の差が所定の閾値を超えている場合には、どちらの画像を後段の装置に出力するのかをプレビュー表示などでユーザに選択させることが可能になる。なお、上記プレビュー表示を行う際に、他の表示装置へ画像を出力しその表示装置にプレビュー表示させる場合には、出力すべき画像をユーザが選択するまで、画像メモリ２３Ａおよび２３Ｂに書き込まれた画像データを保持させるようにすれば良い。また、出力すべき画像をユーザに選択させるのではなく、上記画像情報が所定の値に達している画像を選択して出力するようにＣＰＵ２５に切り替え回路２４を制御させるようにしても良く、さらに、違いのあった画像情報を、問題画像箇所の情報とともに表示部に表示させるようにしても良い。
【００３０】
（４）上述した実施形態では、第１の読み取り部１Ａと第２の読み取り部１Ｂの何れか一方に読み取り異常があると判定された場合には、他方を用いて原稿の表裏を読み取らせるように制御する場合について説明したが、読み取り異常が検知された読み取り部を、以降、ジョブ内では使用しないよう制御しても勿論良く、また、ハードウェア的な故障である場合には、その修理が完了するまでその読み取り部の使用を禁止するように制御しても良い。具体的には、第１の読み取り部１Ａに故障が発生した場合には、原稿の表面および裏面の画像を第２の読み取り部１Ｂにより読み取るよう、ＣＰＵ２５にメカＤＵＰ制御を実行させるようにすれば良い。また、修理を行わなくてもクリーニングなどで解決できるような不具合の場合には，その異常が解消されたか否かを、原稿のページ単位またはジョブの開始時、もしくは、指示された読み取りページ数毎に行い、問題が解消されている場合は、異常ありと判定した読み取り部を再度利用可能にするようにしても良い。
【００３１】
（５）上述した実施形態では、原稿の両面の画像を夫々個別の読み取り部により読み取る場合について説明した。しかしながら、片面にだけ画像が形成された原稿の画像を読み取る場合（すなわち、第１または第２の読み取り部の何れか一方しか用いない場合）についても、通常その原稿の画像を読み取る際に用いる読み取り部に読み取り異常または故障がある場合には、上述したＤＵＰ制御を行うことにより原稿読み取りを行うことが可能になる。また、通常その原稿の画像を読み取る際に用いる読み取り部に読み取り異常または故障が発生していない場合であっても、他方の読み取り手段による画像読み取りを行い、画質の良い方をユーザに選択させるようにしても勿論良い。また、多様な画像に対して高画質での画像読み取りを可能にするため、第１の読み取り部が画像読み取りの際に用いる光の色と、第２の読み取り部が画像読み取りの際に用いる光の色とを異ならせるようにしても良い。具体的には、前者の光源として白色光ランプを用い、後者の光源として緑色ＬＥＤを用いるようにすれば良い。
【００３２】
（６）上述した実施形態では、第１または第２の読み取り部の何れか一方に読み取り異常が発生した場合には、他方の読み取り部を用いて原稿の両面読み取りを行う場合について説明した。しかしながら、読み取り異常が発生していない場合であっても、読み取り部の過熱や、システムとして電力不足など、読み取り異常を引き起こすような事態が検知された場合には、例えば、第１および第２の読み取り部のうち、発熱の少ない方、または、消費電力が小さい方のみを用いて両面読み取りを行わせるようにしても勿論良い。
【００３３】
（７）上述した実施形態では、本発明に係る画像読み取り動作をＣＰＵ２５に実行させるための制御プログラムがＦＲＯＭ２６に予め書き込まれている場合について説明したが、例えば、ＣＤ−ＲＯＭ（Compact Disk-Read Only Memory）などのコンピュータ装置読み取り可能な記録媒体に上記制御プログラムを書き込んで配布するとしても勿論良く、また、インターネットなどの電気通信回線を介して上記制御プログラムを配布するようにしても良い。このようにして配布されたプログラムを、第１および第２の読み取り部と反転手段とを備えた画像読み取り装置にインストールすることによって、その画像読み取り装置に本発明に係る画像読み取り装置と同一の機能を付与することが可能になる。
【図面の簡単な説明】
【００３４】
【図１】本発明の一実施形態に係る画像読み取り装置の要部の構成例を示すブロック図である。
【図２】同画像読み取り装置の搬送系および光学系を示す図である。
【図３】同画像読み取り装置にて行われる画像読み取り動作の流れを示すフローチャートである。
【符号の説明】
【００３５】
１Ａ…第１の読み取り部、１Ｂ…第２の読み取り部、２…画像処理回路。
【図１】
2007143014.tif 000003
【図２】
2007143014.tif 000004
【図３】
2007143014.tif 000005